(57)【特許請求の範囲】
【請求項１】
シート（１）の下部フレーム（２）の前側にオットマン（４）を上下動自在として取り付けると共にこの下部フレーム（２）の後側にバックレスト（６）を起倒動自在として取り付け、前記オットマン（４）とバックレスト（６）の間にリニアアクチュエータ（７）を介装し、前記リニアアクチュエータ（７）の一次作動により前記オットマン（４）を上昇させるリクライニングチェアにおいて、前記リニアアクチュエータ（７）にはロッド（１３）が連結され、ロッド（１３）には一端がバックレスト（６）に固着された支持アーム（１０）の他端を回動及び摺動自在に係合させている長穴（１３ｂ）が設けられ、前記リニアアクチュエータ（７）の一次作動時には、ロッドの前方移動に伴い長穴（１３ｂ）の内側で支持アーム（１０）の他端を摺動させ、前記リニアアクチュエータ（７）の二次作動時には、ロッドの前方移動により、長穴（１３ｂ）の縁で支持アーム（１０）の一端を回動させることで、二次動作時にのみバックレストを傾倒可能に構成したことを特徴とするリクライニングチェア。
【発明の詳細な説明】
【０００１】
【発明の属する技術分野】
この発明は、マッサージ機や安楽椅子等に用いられるリクライニングチェアに関するものである。
【０００２】
【従来の技術】
従来、この種のリクライニングチェアにおいては、シートの後側に配置され、起立状態から回動させて傾倒状態にすることのできるバックレストと、シートの前側に配置され、シートの下方となる下降状態から回動させてシートと同程度の高さまで持ち上げた上昇状態にすることのできるオットマンを備えたものが存在する。
【０００３】
そして、このような従来のリクライニングチェアでは、バックレストを回動操作して起倒動させると、これに連動してオットマンが回動して上下動するようにしている。
【０００４】
したがって、上記従来のリクライニングチェアでは、バックレストが起立状態にあるときにはオットマンがシートの下方となる下降状態にあり、バックレストが傾倒状態にあるときにはオットマンがシートと同程度の高さまで持ち上げられた上昇状態にある。
【０００５】
【発明が解決しようとする課題】
しかしながら、上記従来のリクライニングチェアでは、オットマンが上昇状態のあるときには、バックレストが必ず傾倒状態となっており、このバックレストを起立状態にしたまま、オットマンを上昇状態にすることができなかった。
【０００６】
そのため、上記従来のリクライニングチェアでは、座った状態で足を伸ばすような姿勢をとることができず、このリクライニングチェアをマッサージ機に用いるときには、足腰、肩、背中等の様々な個所をマッサージするのに身体を好ましい態勢にすることができない場合があるという課題を有し、さらにこのリクライニングチェアを安楽椅子に用いるときには、くつろぐ姿勢が制限されるという課題を有していた。
【０００７】
そこで、この発明は、上記従来のリクライニングチェアが有する課題を解決するものであり、バックレストを起立状態にしたままであっても、オットマンを上昇状態にすることができ、さらにこのバックレストを起立状態から、必要に応じて傾倒状態にすることができるようにして、マッサージ機や安楽椅子として非常に使い易くしたリクライニングチェアを提供することを目的としてなされたものである。
【０００８】
この発明のリクライニングチェアは、シート（１）の下部フレーム（２）の前側にオットマン（４）を上下動自在として取り付けると共にこの下部フレーム（２）の後側にバックレスト（６）を起倒動自在として取り付け、前記オットマン（４）とバックレスト（６）の間にリニアアクチュエータ（７）を介装し、前記リニアアクチュエータ（７）の一次作動により前記オットマン（４）を上昇させるリクライニングチェアにおいて、前記リニアアクチュエータ（７）にはロッド（１３）が連結され、ロッド（１３）には一端がバックレスト（６）に固着された支持アーム（１０）の他端を回動及び摺動自在に係合させている長穴（１３ｂ）が設けられ、前記リニアアクチュエータ（７）の一次作動時には、ロッドの前方移動に伴い長穴（１３ｂ）の内側で支持アーム（１０）の他端を摺動させ、前記リニアアクチュエータ（７）の二次作動時には、ロッドの前方移動により、長穴（１３ｂ）の縁で支持アーム（１０）の一端を回動させることで、二次動作時にのみバックレストを傾倒可能に構成した。
【００１０】
【発明の実施の形態】
以下、この発明のリクライニングチェアの一実施形態を、図面に基づいて詳細に説明する。
【００１１】
この発明のリクライニングチェアは、シート１の下部フレーム２の前側に軸支した支持アーム３にオットマン４を上下動自在として取り付けると共に、下部フレーム２の後側に突設したブラケット５にバックレスト６を起倒動自在として取り付けたものとしている。そして、これらオットマン４とバックレスト６の間にリニアアクチュエータ７を介装し、このリニアアクチュエータ７の一次作動により前記オットマン４が上昇し、さらにリニアアクチュエータ７の二次作動により前記バックレスト６が傾倒するようにしている。
【００１２】
すなわち、この発明のリクライニングチェアは、前記したようにシート１の下部フレーム２の前側に支持アーム３の一端部を軸支すると共に、この下部フレーム２の後側にブラケット５を突設したものとし、さらにこれら支持アーム３とブラケット５の間における下部フレーム２にブラケット８を突設したものとしている。そして、前記支持アーム３の他端部にはオットマン４を取り付けると共に回動アーム９の一端部を軸支し、ブラケット５の上端部にはバックレスト６の下端部を軸支すると共にバックレスト６に固着した支持アーム１０の上部を軸支し、ブラケット８の中程部にはリニアアクチュエータ７のシャフト７ａ端部を軸支すると共にこのブラケット８の先端部には第一回動アーム１１及び第二回動アーム１２の一端部を軸支している。さらに、この第一回動アーム１１の他端部には前記回動アーム９の他端部を軸支すると共に第二アーム回動１２の他端部には伸縮機構付きロッド１３の伸縮機構１３ａ側を軸支している。また、この伸縮機構付きロッド１３の伸縮機構１３ａの反対側には長穴１３ｂを設けており、この長穴１３ｂに前記支持アーム１０の他端を回動及び摺動自在に係合させている。さらにまた、前記伸縮機構付きロッド１３の中程部にはブラケット１４を突設し、このブラケット１４には前記リニアアクチュエータ７のシャフト７ａの反対側の端部を軸支している。
【００１３】
リニアアクチュエータ７は、詳細を省略するが、ゴム製のベローズ１５で覆われたシャフト７ａの外周部に刻設された雄ネジを、ウオームホイールの中心孔に刻設された雌ネジ溝に螺合させ、このウオームホイールに電動モータ（図示せず）の駆動軸に取り付けたウオームギヤを噛合させたものとしており、電動モータの正逆転によって前記シャフト７ａが往復動して、リニアアクチュエータ７の全長が伸縮するようにしている。
【００１４】
伸縮機構１３ａは、伸縮機構付きロッド１３に装着されたシリンダ１６内に設けたコイルバネ１７がこの伸縮機構付きロッド１３の先端により押圧されて縮んだり、伸縮機構付きロッド１３の先端による押圧が解除されてコイルバネ１７が伸びることにより、伸縮するようにしている。
【００１５】
なお、前記オットマン４の上下動は、手動レバー（図示せず）によっても操作可能としている。すなわち、第一回動アーム１１に手動レバーの一端を連結し、この手動レバーの他端をシート１の側部に立ち上がらせた状態にする。そして、この手動レバーを回動操作して、第一回動アーム１１及び回動アーム９を回動させることにより、オットマン４を回動させて上昇した状態としたり、下降した状態とすることができる。
【００１６】
以上のように構成したこの発明のリクライニングチェアを使用するには、次のようにして行う。
【００１７】
先ず、図１に示した状態において、使用者がシート１に座り、バックレスト６に背中をもたれさせた状態で、リニアアクチュエータ７を一次作動させる。すなわち、電動モータのスイッチを入れ図２に示した状態までリニアアクチュエータ７の全長を縮ませると、このリニアアクチュエータ７によって伸縮機構付きロッド１３が引き寄せられ、この伸縮機構付きロッド１３によって第二回動アーム１２がシート１の前方向に回動する。すると、この第二回動アーム１２の回動によって、第一回動アーム１１及び回動アーム９が回動し、オットマン４が図中の矢印方向に回動して上昇した状態となり、この状態でオットマン４がロックされる。そして、このオットマン４が上昇した状態で電動モータのスイッチを切れば、オットマン４のみが上昇した状態でリクライニングチェアを使用することができる。
【００１８】
さらに、前記オットマン４が上昇した状態において、バックレスト６を傾倒した状態にするには、リニアアクチュエータ７を二次作動させる。すなわち、前記オットマン４が上昇した状態から電動モータのスイッチを入れ続けるか、オットマン４が上昇した状態にして一旦切った電動モータのスイッチを再び入れて、図３に示した状態までリニアアクチュエータ７の全長を縮ませる。すると、このリニアアクチュエータ７によって伸縮機構付きロッド１３が図中の矢印方向に引き寄せられ、シリンダ１６内に設けたコイルバネ１７が縮み、支持アーム１０がシート１の前方向に回動する。そして、この支持アーム１０の回動により、バックレスト６が図中の矢印方向に回動し、このバックレスト６を傾倒した状態にすることができる。
【００１９】
【発明の効果】
この発明のリクライニングチェアは、以上に述べたように構成されており、バックレストを起立状態にしたままであっても、オットマンを上昇状態にすることができ、さらにこのバックレストを起立状態から、必要に応じて傾倒状態にすることができるようにしているので、マッサージ機や安楽椅子として非常に使い易いものとなった。
【図面の簡単な説明】
【図１】  この発明のリクライニングチェアにおいてオットマンが下降した状態を示す説明図である。
【図２】この発明のリクライニングチェアにおいてオットマンが上昇した状態を示す説明図である。
【図３】この発明のリクライニングチェアにおいてオットマンが上昇すると共にバックレストが傾倒した状態を示す説明図である。
【符号の説明】
１  シート
２  下部フレーム
４  オットマン
６  バックレスト
７  リニアアクチュエータ
【図１】
0004332685.tif 000002
【図２】
0004332685.tif 000003
【図３】
0004332685.tif 000004